(57)【要約】【課題】この発明は、太陽電池パネルを個々に着脱可能とし、保守作業性を向上でき、かつ、野地板への浸水を防止できる太陽電池パネル装置を得る。【解決手段】底部８ａの両側に第１および第２立ち上がり部を有するコ字状のベース板金８が、第１および第２立ち上がり部を連結させて屋根勾配方向と直交する方向に複数敷設され、かつ、底部８ａの一部を重ね合わせて屋根勾配方向に多段に敷設される。パネル固定部材１３が受け部１３ａのコ字状溝開口を軒側に向けて各ベース板金８の底部８ａの軒側に取り付けられる。そして、棟側フレーム４を受け部１３ａに挿入し、軒側フレーム５をパネル固定部材１３のＬ字状の受け部１３ｄに締着固定し、縦フレーム１５をベース板金８の平面部に締着固定して、太陽電池パネル１がパネル固定部材１３４間に取り付けられる。【選択図】　　　　図１３
2004060262.tif 000002
【特許請求の範囲】
【請求項１】
屋根勾配方向に延びる垂木が屋根勾配方向に直交する方向にピッチ（Ａ）で配設され、野地板が該複数の垂木上に敷並べられて該垂木に固定され、かつ、防水シートが該野地板上に敷設されてなる屋根面上に、上記屋根勾配方向に直交する方向に互いに面位置を合わせて複数敷設され、かつ、該屋根勾配方向に階段状に複数段敷設されてなり、それぞれ平盤状の光発電機能体を棟側フレーム、軒側フレームおよび一対の縦フレームにより枠状に支持して構成された太陽電池パネルと、上記太陽電池パネルを上記屋根面に固定する固定機構部とを備えた太陽電池パネル装置において、
上記固定機構部は、
底部と、該底部の一側端から立ち上がる第１立ち上がり部と、該底部の他側端から立ち上がる第２立ち上がり部と、該第１立ち上がり部の上端から外方に延設された平面部と、該平面部の端部に形成された第１連結部と、該第２立ち上がり部の上端に形成された第２連結部とを備えたベース板金が、上記第２連結部を上記第１連結部に係合させて、上記屋根勾配方向と直交する方向に複数敷設され、かつ、上記屋根勾配方向に関して軒側に位置する該ベース板金の底部の棟側に、棟側に位置する該ベース板金の底部の軒側を重ねて上記屋根勾配方向に複数段に敷設され、それぞれの上記底部が上記屋根面に固定されており、
Ｌ字状の第１受け部が設けられている第１固定部材が上記屋根勾配方向に関して最下段に敷設されている上記ベース板金のそれぞれの軒側に取り付けられ、
軒先側に開口するコ字状の第２受け部が設けられた第２固定部材が上記屋根勾配方向に関して最上段に敷設されている上記ベース板金のそれぞれの軒側に取り付けられて構成され、
上記第１受け部が設けられ、かつ、上記第２受け部が該第１受け部の下部に設けられた第３固定部材が上記屋根勾配方向に関して最下段および最上段を除く中間段に敷設されている上記ベース板金のそれぞれの軒側に取り付けられて構成され、
上記太陽電池パネルのそれぞれが、上記棟側フレームを上記第１受け部に挿入され、上記軒側フレームを上記第２受け部に支持され、かつ、上記縦フレームを上記ベース板金の平面部に支持されて、上記第１乃至第３固定部材の上記屋根勾配方向に相対する固定部材の対間に架設され、上記軒側フレームが上記固定部材の第２受け部に締着固定されているとともに、上記縦フレームがパネル間カバーと上記ベース板金の平面部とに挟持されて該パネル間カバーと該平面部との締着により固定されていることを特徴とする太陽電池パネル装置。
【請求項２】
上記ベース板金は、上記第１立ち上がり部の上記底部からの立ち上がり高さが、上記縦フレームの下面が上記平面部に接し、かつ、屋根材の谷面が上記平面部と略同一面位置となるように設定されていることを特徴とする請求項１記載の太陽電池パネル装置。
【請求項３】
上記屋根勾配方向と直交する方向における上記ベース板金の上記屋根面への固定部のピッチが、（Ａ／ｎ１）（但し、Ａ：垂木のピッチ、ｎ１：整数）であることを特徴とする請求項１又は請求項２記載の太陽電池パネル装置。
【請求項４】
上記ベース板金の上記屋根面への固定部は、上記底部に上面側に膨らむ凸部と、該凸部の頂部に穿設された穴とで構成され、上記ベース板金は、上記穴に通された固定具を上記屋根面に固着して該屋根面に固定されていることを特徴とする請求項２又は請求項３記載の太陽電池パネル装置。
【請求項５】
上記屋根勾配方向と直交する方向における上記ベース板金の敷設ピッチが、（上記屋根勾配方向と直交する方向における上記太陽電池パネルの敷設ピッチ）／ｎ２（但し、ｎ２：整数）であり、上記太陽電池パネルがそれぞれｎ２個の上記ベース板金上に配設されていることを特徴とする請求項３又は請求項４記載の太陽電池パネル装置。
【請求項６】
上面側に膨らむ堰が、上記ベース板金の底部の上記固定部の棟側で、かつ、棟側の上記ベース板金の底部が重ねられる領域に、上記屋根勾配方向と直交する方向に延設されていることを特徴とする請求項３乃至請求項５のいずれか１項に記載の太陽電池パネル装置。
【請求項７】
上記太陽電池パネル間を電気的に接続する接続ケーブルを通すための切り欠きが上記ベース板金の第１および第２立ち上がり部の軒側端面に形成されていることを特徴とする請求項３乃至請求項５のいずれか１項に記載の太陽電池パネル装置。
【請求項８】
上記屋根勾配方向における上記太陽電池パネルの敷設ピッチが、（屋根材の葺き足寸法）・ｎ３（但し、ｎ３：整数）であることを特徴とする請求項１記載の太陽電池パネル装置。
【請求項９】
隣接する段に敷設される上記太陽電池パネルが互いに上記屋根勾配方向と直交する方向に［（上記屋根勾配方向と直交する方向における上記太陽電池パネルの敷設ピッチ）／２］ずらされて千鳥格子状に敷設されていることを特徴とする請求項５記載の太陽電池パネル装置。
【請求項１０】
隣接する段に敷設される上記太陽電池パネルが上記屋根勾配方向に一致する格子状に敷設されていることを特徴とする請求項１又は請求項５記載の太陽電池パネル装置。
【請求項１１】
屋根材載置部材が第２固定部材の第２受け部の上面に固定され、屋根材がその軒側を該屋根材載置部材に載せて上記屋根面に葺かれていることを特徴とする請求項９又は請求項１０記載の太陽電池パネル装置。
【請求項１２】
上記屋根材の裏面形状に倣う形状に形成された防水板が第２固定部材の棟側に取り付けられていることを特徴とする請求項１１記載の太陽電池パネル装置。
【請求項１３】
底部と底部の他側端から立ち上がる立ち上がり部とを有するＬ字状に形成され、第３連結部が該立ち上がり部の上端に形成され、堰が該底部の一側端に形成されてなる第１屋根材間ベース板金が、各段の上記屋根勾配方向と直交する方向の一側に位置する上記ベース板金の上記第１連結部に該第３連結部を係合させて敷設され、かつ、底部と底部の一側端から立ち上がる立ち上がり部とを有するＬ字状に形成され、第４連結部が該立ち上がり部の上端に形成され、堰が該底部の他側端に形成されてなる第２屋根材間ベース板金が、各段の上記屋根勾配方向と直交する方向の他側に位置する上記ベース板金の上記第２連結部に該第４連結部を係合させて敷設され、屋根材が上記第１および第２屋根材間ベース板金を覆うように葺かれていることを特徴とする請求項１記載の太陽電池パネル装置。
【請求項１４】
滑り止めが上記太陽電池パネルの軒側フレームの上面に突設されていることを特徴とする請求項１記載の太陽電池パネル装置。
【請求項１５】
上記第１連結部は上記平面部から下方側に折り返されてＵ字状に形成され、かつ、上記第２連結部は上記第２立ち上がり部の上端から外方に延出した後上方側に折り返されてＵ字状に形成され、上記第２連結部のＵ字状の上辺が上記第１連結部のＵ字状の空間内に収納されて上記第１および第２連結部が連結されていることを特徴とする請求項１記載の太陽電池パネル装置。
【発明の詳細な説明】
【０００１】
【発明の属する技術分野】
この発明は、太陽光発電の主体となる方形の平盤形態をした太陽電池パネルを屋根面に敷設してなる太陽電池パネル装置に関し、特にその太陽電池パネルの固定構造に関するものである。
【０００２】
【従来の技術】
太陽光発電に用いられる太陽電池パネルは、一般的に、電気的に接続された複数の太陽電池セルが表面保護基板と裏面保護基板との間に挟持され、表面保護基板および裏面保護基板の太陽電池セル側の面に形成された接着剤層により一体化されて方形盤状の基盤に形成され、例えば表面処理されたアルミ製のフレームが該基盤の周辺部に枠状に装着されて構成されている。
このように構成された太陽電池パネルは、屋根等の構造物上に構築された専用の架台状の固定装置に敷設するものが一般的であり、屋根材の施工工程と太陽電池パネルの取付工程との２つの工程を必要としていた。
そこで、太陽電池パネルを建物の屋根の構成材とする屋根材一体型の太陽電池パネル装置が、例えば特開平１１−１９８５号公報に提案されている。
【０００３】
例えば特開平１１−１９８５号公報に提案されている屋根材一体型の太陽電池パネル装置では、防水シートが敷設された屋根面を構成する野地板上に複数の縦桟を取り付け、太陽電池パネルの固定部材としての横桟を縦桟と直交するように複数取り付け、太陽電池パネルの上下端が隣り合う横桟に接合され、縦桟と直交する方向に隣り合う太陽電池パネル間がＨ型の横ジョイント部材で連結されている。そして、シリコーン等の合成樹脂接着剤やシール材が太陽電池パネルと横桟との接合部に用いられ、太陽電池パネル間が横ジョイント部材により塞がれて、雨水の侵入を防止するようになっている。
【０００４】
【発明が解決しようとする課題】
従来の屋根材一体型の太陽電池パネル装置は、以上のようにシール構造を主体とする防水方法を採っているので、施工による固定部材間の寸法バラツキや屋根のうねりによる高低差を吸収できず、また太陽光や雨水等の外力に対する劣化があり、長期的な安定した防水性を確保できない。そこで、太陽電池パネルの接合部からの雨水の侵入が避けられず、野地板面への浸水が生じてしまう、という課題があった。
また、太陽電池パネル間がＨ型の横ジョイント部材により連結されているので、太陽電池パネルの故障や配線上のトラブルが発生した場合には、太陽電池パネルの着脱が困難となり、保守作業性が低下してしまう、という課題もあった。
【０００５】
この発明は、上記のような課題を解決するためになされたもので、略コ字状のベース板金を、屋根勾配方向と直交する方向に隙間なく複数敷設し、かつ、そのコ字状の底部を互いに重ね合わせて屋根勾配方向に複数段に敷設し、太陽電池パネル間から侵入した雨水が屋根勾配方向に連なるベース板金のコ字状部を流れて軒先に排出されるようにして、野地板への浸水を防止できるとともに、屋根勾配方向と直交する方向に隣接するベース板金間に平面部を形成し、かつ、固定部材を各ベース板金の軒先側に取り付け、太陽電池パネルを屋根勾配方向に相対する固定部材の対間に架設し、太陽電池パネルの軒側フレームおよび縦フレームを固定部材および平面部に締着固定するようにして、太陽電池パネルの故障や配線上のトラブルが発生した場合には、対象となる太陽電池パネルのみの着脱を可能とし、保守作業性を向上できる太陽電池パネル装置を得ることを目的とする。
【０００６】
【課題を解決するための手段】
この発明に係る太陽電池パネル装置は、屋根勾配方向に延びる垂木が屋根勾配方向に直交する方向にピッチ（Ａ）で配設され、野地板が該複数の垂木上に敷並べられて該垂木に固定され、かつ、防水シートが該野地板上に敷設されてなる屋根面上に、上記屋根勾配方向に直交する方向に互いに面位置を合わせて複数敷設され、かつ、該屋根勾配方向に階段状に複数段敷設されてなり、それぞれ平盤状の光発電機能体を棟側フレーム、軒側フレームおよび一対の縦フレームにより枠状に支持して構成された太陽電池パネルと、上記太陽電池パネルを上記屋根面に固定する固定機構部とを備えた太陽電池パネル装置において、
上記固定機構部は、
底部と、該底部の一側端から立ち上がる第１立ち上がり部と、該底部の他側端から立ち上がる第２立ち上がり部と、該第１立ち上がり部の上端から外方に延設された平面部と、該平面部の端部に形成された第１連結部と、該第２立ち上がり部の上端に形成された第２連結部とを備えたベース板金が、上記第２連結部を上記第１連結部に係合させて、上記屋根勾配方向と直交する方向に複数敷設され、かつ、上記屋根勾配方向に関して軒側に位置する該ベース板金の底部の棟側に、棟側に位置する該ベース板金の底部の軒側を重ねて上記屋根勾配方向に複数段に敷設され、それぞれの上記底部が上記屋根面に固定されており、
Ｌ字状の第１受け部が設けられている第１固定部材が上記屋根勾配方向に関して最下段に敷設されている上記ベース板金のそれぞれの軒側に取り付けられ、
軒先側に開口するコ字状の第２受け部が設けられた第２固定部材が上記屋根勾配方向に関して最上段に敷設されている上記ベース板金のそれぞれの軒側に取り付けられて構成され、
上記第１受け部が設けられ、かつ、上記第２受け部が該第１受け部の下部に設けられた第３固定部材が上記屋根勾配方向に関して最下段および最上段を除く中間段に敷設されている上記ベース板金のそれぞれの軒側に取り付けられて構成され、
上記太陽電池パネルのそれぞれが、上記棟側フレームを上記第１受け部に挿入され、上記軒側フレームを上記第２受け部に支持され、かつ、上記縦フレームを上記ベース板金の平面部に支持されて、上記第１乃至第３固定部材の上記屋根勾配方向に相対する固定部材の対間に架設され、上記軒側フレームが上記固定部材の第２受け部に締着固定されているとともに、上記縦フレームがパネル間カバーと上記ベース板金の平面部とに挟持されて該パネル間カバーと該平面部との締着により固定されているものである。
【０００７】
また、上記ベース板金は、上記第１立ち上がり部の上記底部からの立ち上がり高さが、上記縦フレームの下面が上記平面部に接し、かつ、屋根材の谷面が上記平面部と略同一面位置となるように設定されているものである。
【０００８】
また、上記屋根勾配方向と直交する方向における上記ベース板金の上記屋根面への固定部のピッチが、（Ａ／ｎ１）（但し、Ａ：垂木のピッチ、ｎ１：整数）である。
【０００９】
また、上記ベース板金の上記屋根面への固定部は、上記底部に上面側に膨らむ凸部と、該凸部の頂部に穿設された穴とで構成され、上記ベース板金は、上記穴に通された固定具を上記屋根面に固着して該屋根面に固定されているものである。
【００１０】
また、上記屋根勾配方向と直交する方向における上記ベース板金の敷設ピッチが、（上記屋根勾配方向と直交する方向における上記太陽電池パネルの敷設ピッチ）／ｎ２（但し、ｎ２：整数）であり、上記太陽電池パネルがそれぞれｎ２個の上記ベース板金上に配設されているものである。
【００１１】
また、上面側に膨らむ堰が、上記ベース板金の底部の上記固定部の棟側で、かつ、棟側の上記ベース板金の底部が重ねられる領域に、上記屋根勾配方向と直交する方向に延設されているものである。
【００１２】
また、上記太陽電池パネル間を電気的に接続する接続ケーブルを通すための切り欠きが上記ベース板金の第１および第２立ち上がり部の軒側端面に形成されているものである。
【００１３】
また、上記屋根勾配方向における上記太陽電池パネルの敷設ピッチが、（屋根材の葺き足寸法）・ｎ３（但し、ｎ３：整数）である。
【００１４】
また、隣接する段に敷設される上記太陽電池パネルが互いに上記屋根勾配方向と直交する方向に［（上記屋根勾配方向と直交する方向における上記太陽電池パネルの敷設ピッチ）／２］ずらされて千鳥格子状に敷設されているものである。
【００１５】
また、隣接する段に敷設される上記太陽電池パネルが上記屋根勾配方向に一致する格子状に敷設されているものである。
【００１６】
また、屋根材載置部材が第２固定部材の第２受け部の上面に固定され、屋根材がその軒側を該屋根材載置部材に載せて上記屋根面に葺かれているものである。
【００１７】
また、上記屋根材の裏面形状に倣う形状に形成された防水板が第２固定部材の棟側に取り付けられているものである。
【００１８】
また、底部と底部の他側端から立ち上がる立ち上がり部とを有するＬ字状に形成され、第３連結部が該立ち上がり部の上端に形成され、堰が該底部の一側端に形成されてなる第１屋根材間ベース板金が、各段の上記屋根勾配方向と直交する方向の一側に位置する上記ベース板金の上記第１連結部に該第３連結部を係合させて敷設され、かつ、底部と底部の一側端から立ち上がる立ち上がり部とを有するＬ字状に形成され、第４連結部が該立ち上がり部の上端に形成され、堰が該底部の他側端に形成されてなる第２屋根材間ベース板金が、各段の上記屋根勾配方向と直交する方向の他側に位置する上記ベース板金の上記第２連結部に該第４連結部を係合させて敷設され、屋根材が上記第１および第２屋根材間ベース板金を覆うように葺かれているものである。
【００１９】
また、滑り止めが上記太陽電池パネルの軒側フレームの上面に突設されているものである。
【００２０】
また、上記第１連結部は上記平面部から下方側に折り返されてＵ字状に形成され、かつ、上記第２連結部は上記第２立ち上がり部の上端から外方に延出した後上方側に折り返されてＵ字状に形成され、上記第２連結部のＵ字状の上辺が上記第１連結部のＵ字状の空間内に収納されて上記第１および第２連結部が連結されているものである。
【００２１】
【発明の実施の形態】
以下、この発明の実施の形態を図について説明する。
実施の形態１．
図１はこの発明の実施の形態１に係る太陽電池パネル装置に適用される太陽電池パネルを示す平面図、図２は図１のＩＩ−ＩＩ矢視断面図である。図３はこの発明の実施の形態１に係る太陽電池パネル装置に適用されるベース板金を示す平面図、図４はこの発明の実施の形態１に係る太陽電池パネル装置に適用されるベース板金を示す正面図、図５は図３のＶ−Ｖ矢視断面図である。図６はこの発明の実施の形態１に係る太陽電池パネル装置に適用される第１屋根材間ベース板金を示す平面図、図７はこの発明の実施の形態１に係る太陽電池パネル装置に適用される第１屋根材間ベース板金を示す正面図、図８はこの発明の実施の形態１に係る太陽電池パネル装置に適用される第２屋根材間ベース板金を示す平面図、図９はこの発明の実施の形態１に係る太陽電池パネル装置に適用される第２屋根材間ベース板金を示す正面図、図１０はこの発明の実施の形態１に係る太陽電池パネル装置に適用される棟側ベース板金を示す平面図、図１１はこの発明の実施の形態１に係る太陽電池パネル装置に適用される棟側ベース板金を示す正面図、図１２は図１０のＸＩＩ−ＸＩＩ矢視断面図である。図１３はこの発明の実施の形態１に係る太陽電池パネル装置における太陽電池パネルの上下方向の取り付け構造を説明する断面図、図１４はこの発明の実施の形態１に係る太陽電池パネル装置における太陽電池パネルの横方向の取り付け構造を説明する断面図、図１５はこの発明の実施の形態１に係る太陽電池パネル装置における太陽電池パネルの横方向の取り付け構造を説明する一部破断正面図、図１６はこの発明の実施の形態１に係る太陽電池パネル装置における最上段の太陽電池パネルの取り付け構造を説明する断面図、図１７はこの発明の実施の形態１に係る太陽電池パネル装置における最下段の太陽電池パネルの取り付け構造を説明する断面図である。
【００２２】
太陽電池パネル１は、図１および図２に示されるように、方形の平盤形態に作製された光発電機能体である基盤２と、基盤２の外周縁部に枠状に装着されるフレーム３とから構成されている。
【００２３】
基盤２は、充填材層を形成する透明加熱融着材シートにダブ線により電気的に直列接続された複数の太陽電池セル２ａを挟んだものを、表面保護基板と耐候性フィルム等からなる裏面保護材との間に挟持し、その後真空引きしながら加熱して、太陽電池セル２ａ、表面保護基板および裏面保護材を透明加熱融着材シートにより融着一体化して、方形の平盤形態に構成されている。
【００２４】
フレーム３は、それぞれ表面処理されたアルミ材等により作製された棟側フレーム４、軒側フレーム５および一対の縦フレーム６により方形の枠状に構成されている。棟側フレーム４は、概ね断面コ字状を有するバー状に形成され、穴方向をコ字状溝４ａの溝深さ方向とするねじ穴（図示せず）が長さ方向の両端部に形成されている。軒側フレーム５は、概ね断面Ｅ字状を有するバー状に形成され、穴方向をコ字状溝５ａの溝深さ方向とするねじ穴（図示せず）が長さ方向の両端部に形成され、穴方向をコ字状溝５ａの溝深さ方向とするねじ穴５ｂがコ字状溝５ａの下部側に、かつ、長さ方向の複数箇所に外側（反コ字状溝５ａ側）から形成され、さらに庇部５ｃが上部から外側に延設され、滑り止め５ｄが庇部５ｃの先端を上方に折り曲げれて形成されている。各縦フレーム６は、棟側フレーム４と同様な概ね断面コ字状を有するバー状に形成され、穴方向をコ字状溝６ａの溝深さ方向とするねじ穴（図示せず）が長さ方向の両端に貫通するように形成されている。
【００２５】
そして、基盤２の上部縁部が棟側フレーム４のコ字状溝４ａ内にシール部材７を挟み込んで圧入され、基盤２の下部縁部が軒側フレーム５のコ字状溝５ａ内にシール部材７を挟み込んで圧入される。さらに、基盤２の左右縁部がそれぞれ縦フレーム６のコ字状溝６ａにシール部材７を挟み込んで圧入される。ついで、取付ねじ（図示せず）がそれぞれ縦フレーム６の両端のねじ穴を介して棟側および軒側フレーム４、５のねじ穴に締着されて、図１に示される太陽電池パネル１が組み立てられる。
【００２６】
ベース板金８は、例えばメッキ鋼板等の金属平板を略凹状に折り曲げ加工して作製されている。このベース板金８は、図３乃至図５に示されるように、略矩形の底部８ａと、底部８ａの図３中左右方向の両端部からそれぞれ垂直に立ち上がる第１および第２立ち上がり部８ｂ、８ｃと、第１立ち上がり部８ｂの上端から外方に延出する平面部８ｄと、平面部８ｄの先端部を下方側に折り返した第１連結部としてのＵ字状の折り返し部８ｅと、第２立ち上がり部８ｃの上端から外方に延出した後上方側に折り返した第２連結部としてのＵ字状の折り返し部８ｆとを備えている。そして、一対の取り付け用穴８ｇが底部８ａの図３中下方（軒側に相当）の端部側に左右方向に所定距離離れて穿設され、上面に膨らむ堰８ｈが底部８ａの図３中上方（棟側に相当）の端部側に左右方向に延設されている。さらに、凸部８ｉが底部８ａの取り付け用穴８ｇと堰８ｈとの間に上面に膨らむように４箇所形成され、ねじ貫通用の穴８ｊが各凸部８ｉの頂部に形成されている。なお、凸部８ｉと穴８ｊとでベース板金８の固定部を構成している。
【００２７】
ここで、第１立ち上がり部８ｂは、図５に示されるように、底部８ａからの立ち上がり高さが、取り付け用穴８ｇの形成側端部から堰８ｈの形成側端部に（軒側から棟側に）向かって漸次低くなるように形成されている。そして、第２立ち上がり部８ｃの立ち上がり高さは、折り返し部８ｆの上辺が折り返し部８ｅに形成されるＵ字状空間内に位置するように構成されている。さらに、堰８ｈの形成側端部（棟側端部）から重ね代８ｋの範囲における第１および第２立ち上がり部８ｂ、８ｃの間隔が、重ね代８ｋの範囲外における第１および第２立ち上がり部８ｂ、８ｃの間隔に対して、所定量広くなっている。なお、この所定量は、第１および第２立ち上がり部８ｂ、８ｃの厚みより若干大きい。また、太陽電池パネル１間の接続ケーブル３７を通すための切り欠き８ｌが第１および第２立ち上がり部８ｂ、８ｃの取り付け用穴８ｇの形成側端部（軒側端部）にそれぞれ形成されている。さらに、一対のねじ部９が、平面部８ｄの幅方向中央部に、長さ方向に所定距離離れて設けられている。
【００２８】
このように構成されたベース板金８は、屋根面上に、それぞれ平面部８ｄの長さ方向を屋根勾配の方向に一致させ、折り返し部８ｆの上辺を折り返し部８ｅに形成されるＵ字状空間内に収納させて互いに連結させて、屋根勾配に直交する方向に複数敷設される。さらに、ベース板金８は、棟側のベース板金８の底部８ａを軒側のベース板金８の底部８ａの重ね代８ｋの領域上に重ねるようにして、屋根勾配の方向に複数段敷設される。そして、各ベース板金８は、固定具としての木ねじ３０を各穴８ｊに通して屋根面に締着して固定される。この時、取り付け用穴８ｇは、軒側のベース板金８の底部８ａの重ね代８ｋ上で、堰８ｈより軒側に位置している。
なお、屋根面は、屋根勾配の方向に延びる垂木２５が屋根勾配に直交する方向に一定のピッチＡ（図１８参照）で配設され、野地板２６が該複数の垂木２５上に敷並べられて該垂木２５に固定され、かつ、防水シート２６ａが該野地板２６上に敷設されて構成されている。
【００２９】
第１屋根材間ベース板金１０は、屋根勾配に直交する方向に複数敷設されたベース板金８の一側に敷設されるもので、例えばメッキ鋼板等の金属平板を略Ｌ状に折り曲げ加工して作製されている。この第１屋根材間ベース板金１０は、図６および図７に示されるように、略矩形の底部１０ａと、底部１０ａの図６中右方向の端部から垂直に立ち上がる立ち上がり部１０ｂと、立ち上がり部１０ｂの上端から外方に延出した後上方側に折り返した第３連結部としてのＵ字状の折り返し部１０ｃと、底部１０ａの図６中左方向の端部から垂直に立ち上がる堰としての立ち上がり部１０ｄとを備えている。そして、凸部１０ｅが底部１０ａに上面に膨らむように２箇所所形成され、各ねじ貫通用の穴１０ｆが凸部１０ｅの頂部に形成されている。なお、凸部１０ｅおよび穴１０ｆが固定部となる。
【００３０】
ここで、底部１０ａはベース板金８の底部８ａと同等の長さに形成されている。なお、底部１０ａの幅は底部８ａの約半分となっている。また、立ち上がり部１０ｂおよび折り返し部１０ｃは、ベース板金８の第２立ち上がり部８ｃおよび折り返し部８ｆと同等の形状に形成されている。さらに、底部１０ａの長さ方向（屋根勾配方向）における底部１０ａ上での凸部１０ｅの設置位置は、ベース板金８の底部８ａ上での凸部８ｉの設置位置と同等である。つまり、第１屋根材間ベース板金１０は、立ち上がり部１０ｄが形成されている点および堰部８ｈおよび取り付け用穴８ｇが形成されていない点を除いて、図３に示されるベース板金８の右半分と同等に形成されている。
【００３１】
このように構成された第１屋根材間ベース板金１０は、屋根面上に、それぞれ折り返し部１０ｃの上辺を折り返し部８ｅに形成されるＵ字状空間内に収納させて互いに連結させて、屋根勾配に直交する方向に複数敷設されたベース板金１０の各段の一側に敷設される。そして、各第１屋根材間ベース板金１０は、木ねじ３０を各穴１０ｆに通して屋根面に締着して固定される。
【００３２】
第２屋根材間ベース板金１１は、屋根勾配に直交する方向に複数敷設されたベース板金８の他側に敷設されるもので、例えばメッキ鋼板等の金属平板を略Ｌ状に折り曲げ加工して作製されている。この第２屋根材間ベース板金１１は、図８および図９に示されるように、略矩形の底部１１ａと、底部１１ａの図８中左方向の端部から垂直に立ち上がる立ち上がり部１１ｂと、立ち上がり部１１ｂの上端から外方に延出する平面部１１ｃと、平面部１１ｃの先端部を下方側に折り返した第４連結部としてのＵ字状の折り返し部１１ｄと、底部１１ａの図８中右方向の端部から垂直に立ち上がる堰としての立ち上がり部１１ｅとを備えている。そして、凸部１１ｆが底部１１ａに上面に膨らむように２箇所所形成され、ねじ貫通用の穴１１ｇが各凸部１１ｆの頂部に形成されている。また、一対のねじ部９が、平面部１１ｃの幅方向中央部に、長さ方向に所定距離離れて設けられている。なお、凸部１１ｆおよび穴１１ｇが固定部となる。
【００３３】
ここで、底部１１ａはベース板金８の底部８ａと同等の長さに形成されている。なお、底部１１ａの幅は底部８ａの約半分となっている。また、立ち上がり部１１ｂ、平面部１１ｃおよび折り返し部１１ｄは、ベース板金８の第１立ち上がり部８ｂ、平面部８ｄおよび折り返し部８ｅと同等の形状に形成されている。さらに、底部１１ａの長さ方向（屋根勾配方向）における底部１１ａ上での凸部１１ｆの設置位置は、ベース板金８の底部８ａ上での凸部８ｉの設置位置と同等である。また、平面部１１ｃにおける一対のねじ部９の配設位置は、ベース板金８の平面部８ｄにおけるねじ部９の配設位置と同等である。つまり、第２屋根材間ベース板金１１は、立ち上がり部１１ｅが形成されている点および堰部８ｈおよび取り付け用穴８ｇが形成されていない点を除いて、図３に示されるベース板金８の左半分と同等に形成されている。
【００３４】
このように構成された第２屋根材間ベース板金１１は、屋根面上に、それぞれ折り返し部１１ｄに形成されるＵ字状空間内に、ベース板金８の折り返し片８ｆの上辺を収納させて互いに連結させて、屋根勾配に直交する方向に複数敷設されたベース板金８の各段の他側に敷設される。そして、各第２屋根材間ベース板金１１は、木ねじ３０を各穴１１ｇに通して屋根面に締着して固定される。
【００３５】
棟側ベース板金１２は、屋根勾配方向に複数敷設されたベース板金８の棟側に敷設されるもので、例えばメッキ鋼板等の金属平板を略凹状に折り曲げ加工して作製されている。この棟側ベース板金１２は、図１０乃至図１２に示されるように、略矩形の底部１２ａと、底部１２ａの図１０中左右方向の両端部からそれぞれ垂直に立ち上がる第１および第２立ち上がり部１２ｂ、１２ｃと、第１立ち上がり部１２ｂの上端から外方に延出する平面部１２ｄと、平面部１２ｄの先端部を下方側に折り返したＵ字状の折り返し部１２ｅと、第２立ち上がり部１２ｃの上端から外方に延出した後上方側に折り返したＵ字状の折り返し部１２ｆとを備えている。そして、一対の取り付け用穴１２ｇが底部１２ａの図１０中下方（軒側に相当）の端部側に左右方向に所定距離離れて穿設され、凸部１２ｈが底部１２ａの取り付け用穴１２ｇの図１０中上方（棟側に相当）に上面に膨らむように２箇所形成され、ねじ貫通用の穴１２ｉが各凸部１２ｈの頂部に形成されている。
【００３６】
ここで、底部１２ａは、ベース板金８の底部８ａの約半分の長さに形成され、屋根材である瓦２７の１枚の葺き幅より短い長さを有している。なお、底部１２ａの幅は底部８ａと同等となっている。また、第１立ち上がり部１２ｂの底部１２ａからの立ち上がり高さは、図１２に示されるように、一定であり、その立ち上がり高さは、重ね代８ｋの位置におけるベース板金８の第１立ち上がり部８ｂの底部８ａからの立ち上がり高さに一致している。同様に、第２立ち上がり部１２ｃの底部１２ａからの立ち上がり高さは、一定であり、その立ち上がり高さは、重ね代８ｋの位置におけるベース板金８の第２立ち上がり部８ｃの底部８ａからの立ち上がり高さに一致している。さらに、底部１２ａ上での取り付け用穴１２ｇおよび凸部１２ｈの設置位置は、ベース板金８の底部８ａ上での取り付け用穴８ｇおよび凸部８ｉの設置位置と同等である。また、平面部１２ｄにおけるねじ部９の配設位置は、ベース板金８の平面部８ｄにおけるねじ部９の配設位置と同等である。つまり、棟側ベース板金１２は、第１および第２立ち上がり部１２ｂ、１２ｃの高さが一定である点および堰部８ｈが形成されていない点を除いて、図３に示されるベース板金８の下半分（軒側半分）と同等に形成されている。
【００３７】
このように構成された棟側ベース板金１２は、屋根面上に、それぞれ底部１２ａの一部を底部８ａの重ね代８ｋの領域上に重ねて、屋根勾配に直交する方向の最棟側に敷設されたベース板金８のそれぞれの棟側に敷設される。そして、各棟側ベース板金１２は、木ねじ３０を各穴１２ｉに通して屋根面に締着して固定される。
【００３８】
第３固定部材としてのパネル固定部材１３は、表面処理されたアルミ材等により作製され、ベース板金８の第１および第２立ち上がり部８ｂ、８ｃ間より短い長さを有している。このパネル固定部材１３は、図１３に示されるように、溝方向を長さ方向に一致させて長さ方向の全域にわたって形成された第２受け部としての断面コ字状の棟側フレーム受け部１３ａと、棟側フレーム受け部１３ａから反溝側下部にＬ字状に延設されたフランジ部１３ｂと、棟側フレーム受け部１３ａから下部に延設された脚部１３ｃと、棟側フレーム受け部１３ａから上部に延設された第１受け部としてのＬ字状の立ちフランジ部１３ｄとから構成されている。
そして、フランジ部１３ｂには、ベース板金８の底部８ａに形成された取り付け用穴８ｇに対応するように穴（図示せず）が穿設されている。また、立ちフランジ部１３ｄには、軒側フレーム５に形成されたねじ穴５ｂに対応するように穴１３ｅが穿設されている。
【００３９】
パネル押さえ板１４は、例えばメッキ鋼板等の金属平板を略Ｌ字状に折り曲げ加工して作製され、図１３に示されるように、立ちフランジ部１３ｄに宛われる主部１４ａと棟側フレーム受け部１３ａ内に挿入される折り曲げ辺１４ｂとからなるＬ字状に形成されている。そして、パネル押さえ板１４は、パネル固定部材１３より若干長く形成され、その主部１４ａには、立ちフランジ部１３ｄに形成された取り付け用穴１３ｅに対応するように取り付け用穴１４ｃが形成されている。
【００４０】
このように構成されたパネル固定部材１３は、図１３に示されるように、フランジ部１３ｂに形成された穴を棟側のベース板金８の底部８ａに形成された取り付け用穴８ｇに一致させるようにフランジ部１３ｂを棟側のベース板金８の底部８ａ上に位置させ、かつ、脚部１３ｃを軒側のベース板金８の底部８ａ上に位置させるように配置し、リベット３１によりフランジ部１３ｂに形成された穴と底部８ａに形成された取り付け用穴８ｇとを用いてベース板金８に締着固定される。この時、パネル固定部材１３は、棟側フレーム受け部１３ａの溝開口を軒側に向けてベース板金８に取り付けられている。
【００４１】
そして、棟側フレーム４がパネル固定部材１３の棟側フレーム受け部１３ａ内に挿入され、軒側フレーム５が軒側に位置するパネル固定部材１３の立ちフランジ部１３ｄに宛われる。そして、パネル押さえ板１４がその折り曲げ辺１４ｂを軒側から棟側フレーム受け部１３ａ内に圧入し、主部１４ａを立ちフランジ部１３ｄに宛う。ついで、取付ねじ３２がパネル押さえ板１４に穿設された取り付け穴１４ｃおよび立ちフランジ部１３ｄに穿設された取り付け用穴１３ｅに通されて軒側フレーム５のねじ穴５ｂに締着・固定される。
【００４２】
パネル間カバー１５は、例えばメッキ鋼板等の金属平板を折り曲げ加工して作製され、図１４および図１５に示されるように、平板状の押さえ部１５ａと、押さえ部１５ａの幅方向の両端部から折り返された後略直角に折り曲げられて縦フレーム６の厚みと同等の高さを有する一対の縦フランジ１５ｂと、押さえ部１５ａの長さ方向の一端部から略直角に折り曲げられてパネル押さえ板１４の主部１４ａの長さ方向の端部の外壁面（軒側の外壁面）に接するように重ね合わせられる折り曲げ部１５ｃとから構成されている。また、パネル間カバー１５の押さえ部１５ａには、ベース板金８の平面部８ｄに形成されたねじ部９に対応するように穴１５ｄが穿設されている。
【００４３】
このように構成されたパネル間カバー１５は、図１４に示されるように、屋根勾配方向と直交する方向に隣り合う太陽電池パネル１間に上方から配設され、取付ねじ３３を穴１５ｄに通してベース板金８の平面部８ｄに形成されたねじ部９に締着して取り付けられる。この時、押さえ部１５ａが太陽電池パネル１の縦フレーム６を押圧している。また、折り曲げ部１５ｃが、図１５に示されるように、パネル押さえ板１４の主部１４ａの長さ方向の端部の外壁面（軒側の外壁面）に接するように重ね合わされ、さらに、折り曲げ部１５ｃの下端と下段の太陽電池パネル１との隙間も僅かな物となり、ベース板金８が重なって形成される平面部８ｄ間の隙間が塞がれる。これにより、雨水が太陽電池パネル１間、パネル押さえ板１４間および平面部８ｄ間を通って侵入することが防止される。ここで、押さえ部１５ａと縦フレーム６との間にクッション材やシール材を介装するようにしてもよい。
【００４４】
第２固定部材としての棟側パネル固定部材１６は、表面処理されたアルミ材等により作製され、ベース板金８の第１および第２立ち上がり部８ｂ、８ｃ間より短い長さを有している。この棟側パネル固定部材１６は、図１６に示されるように、溝方向を長さ方向に一致させて長さ方向の全域にわたって形成された第２受け部としての断面コ字状の棟側フレーム受け部１６ａと、棟側フレーム受け部１６ａから反溝側下部にＬ字状に延設されたフランジ部１６ｂと、棟側フレーム受け部１６ａから下部に延設された脚部１６ｃとから構成されている。そして、フランジ部１６ｂには、棟側ベース板金１２の底部１２ａに設けられた一対の取り付け用穴１２ｇと対応するように穴（図示せず）が穿設されている。
【００４５】
このように構成された棟側パネル固定部材１６は、フランジ部１６ｂに形成された穴を棟側ベース板金１２の底部１２ａに形成された取り付け用穴１２ｇに一致させるようにフランジ部１６ｂを底部１２ａ上に位置させ、かつ、脚部１６ｃをベース板金８の底部８ａ上に位置させるように配置し、リベット３１によりフランジ部１６ｂに形成された穴と底部１２ａに形成された取り付け用穴１２ｇとを用いて棟側ベース板金１２に締着固定される。この時、棟側パネル固定部材１６は、棟側フレーム受け部１６ａの溝開口を軒側に向けて棟側ベース板金１２に取り付けられている。
【００４６】
屋根材載置部材としての瓦載置部材１７は、表面処理されたアルミ材等により作製され、棟側パネル固定部材１６と同等の長さを有している。この瓦載置部材１７は、図１６に示されるように、棟側パネル固定部材１６の棟側フレーム受け部１６ａの上部に載置され、取付ねじ３４により締着固定される。
防水板１８は、図１６に示されるように、棟側パネル固定部材１６の棟側フレーム受け部１６ａにリベット３１により取り付けられている。この時、防水板１８は、屋根材である瓦２７の裏面に倣う形状に形成されており、瓦２７の裏面と密接し、風雨等の吹き込みによる野地板２６面への浸水を防止するように作用する。
【００４７】
第１固定部材としての軒先パネル固定部材１９は、表面処理されたアルミ材等により作製され、ベース板金８の第１および第２立ち上がり部８ｂ、８ｃ間より短い長さを有している。この軒先パネル固定部材１９は、図１７に示されるように、溝方向を長さ方向に一致させて長さ方向の全域にわたって形成された断面コ字状の受け部１９ａと、受け部１９ａから反溝側下部にＬ字状に延設されたフランジ部１９ｂと、受け部１９ａから下部に延設された脚部１９ｃと、受け部１９ａから上部に延設された第１受け部としてのＬ字状の立ちフランジ部１９ｄとから構成されている。
そして、フランジ部１９ｂには、ベース板金８の底部８ａに形成された取り付け用穴８ｇに対応するように穴（図示せず）が穿設されている。また、立ちフランジ部１９ｄには、軒側フレーム５に形成されたねじ穴５ｂに対応するように穴１９ｅが穿設されている。
【００４８】
軒先ベース板２０は、例えばメッキ鋼板等の金属平板を折り曲げ加工して作製されている。そして、この軒先ベース板２０の先端部が、図１７に示されるように、野地板２６の下面側に至るように折り返されて鍵部２０ａを構成している。そして、軒先ベース板２０には、ベース板金８の底部８ａに形成された取り付け用穴８ｇに対応するように穴（図示せず）が穿設されている。
【００４９】
軒先カバー２１は、表面処理されたアルミ材等により作製され、図１７に示されるように、軒先パネル固定部材１９の立ちフランジ部１９ｄに宛われる主部２１ａと、軒先パネル固定部材１９の受け部１９ａ内に嵌合される嵌合部２１ｂと、主部２１ａから下方に野地板２６の下部まで延設されたカバー部２１ｃと、カバー部２１ｃの下端から軒先ベース板２０の鍵部２０ａの先端を巻き込むように延設された引掛部２１ｄとから構成されている。そして、軒先カバー２１の引掛部２１ｄには、通気穴２１ｅが設けられている。また、主部２１ａには、軒先パネル固定部材１９の立ちフランジ部１９ｄに形成された穴１９ｅに対応するように穴２１ｆが穿設されている。
【００５０】
このように構成された軒先ベース板２０は、図１７に示されるように、鍵部２０ａが野地板２６の軒先側を覆うように、屋根勾配の最軒先側に位置するベース板金８の底部８ａの下部に挿入される。そして、軒先パネル固定部材１９が、図１７に示されるように、フランジ部１９ｂに形成された穴をベース板金８の底部８ａに形成された取り付け用穴８ｇに一致させるようにフランジ部１９ｂをベース板金８の底部８ａ上に位置させ、かつ、脚部１９ｃを軒先ベース板２０上に位置させるように配置され、リベット３１によりフランジ部１９ｂに形成された穴と底部８ａに形成された取り付け用穴８ｇと軒先ベース板２０に形成された穴とを用いて、軒先ベース板２０とともに、ベース板金８に固定される。
【００５１】
そして、軒側フレーム５が軒先パネル固定部材１９の立ちフランジ部１９ｄに宛われる。そして、軒先カバー２１の引掛部２１ｄを鍵部２０ａに引っ掛けて、軒側から嵌合部２１ｂを受け部１９ａ内に押し入れつつ主部２１ａを立ちフランジ部１９ｄに宛う。ついで、取付ねじ３５が軒先カバー２１の主部２１ａに穿設された穴２１ｆおよび軒先パネル固定部材１９の立ちフランジ部１９ｄに穿設された穴１９ｅに通されて軒側フレーム５のねじ穴５ｂに締着・固定される。
これにより、軒先カバー２１が、屋根勾配の最軒先側に位置する太陽電池パネル１およびベース板金８の軒先側、太陽電池パネル１間、さらにはベース板金８間を塞ぎ、風雨等の吹き込みによる野地板２６面への浸水を防止する。
【００５２】
屋根形状が切妻造りの場合には、平面形状が四角形となり、寄せ棟造り等の場合には、平面形状が三角形や台形等になる。そして、太陽電池パネル１は平面方形であることから、四角形の平面形状の屋根面への敷設が平易であるので、平面形状が二等辺三角形の寄せ棟造りの和瓦葺きの屋根材と太陽電池パネル１とを併設する場合について以下に説明する。
図１８はベース板金を傾斜屋根面に敷設した状態を示す模式図、図１９はベース板金、屋根材間ベース板金および棟側ベース板金を傾斜屋根面に敷設した状態を示す模式図、図２０はベース板金、屋根材間ベース板金および棟側ベース板金を傾斜屋根面に敷設した状態を示す平面図である。
なお、図１８において、Ａは垂木２５の配設ピッチを示し、ＢはＡ／２の寸法を示し、Ｃは瓦２７の葺き幅を示し、Ｄは瓦２７の葺き足を示している。また、各図において、符号２８は屋根の稜線を示している。
【００５３】
ここで、太陽電池パネル１は、屋根勾配と直交する方向の配列ピッチが６Ｂとなるような横幅に、かつ、屋根勾配方向の配列ピッチが２Ｄとなるような縦幅に構成されている。そして、ベース板金８は、屋根勾配と直交する方向に敷設された際に、底部８ａに形成されている穴８ｊがＢの寸法ピッチで配列され、かつ、ねじ部９が３Ｂの寸法ピッチで配列されるように構成されている。また、ベース板金８は、屋根勾配方向に敷設された際に、パネル固定部材１３、棟側パネル固定部材１６および軒先パネル固定部材１９の相対する対が太陽電池パネル１の棟側フレーム４および軒側フレーム５を支持できるように、取り付け用穴８ｇ、１２ｇの穴位置および重ね代８ｋが設定されている。
【００５４】
まず、ベース板金８の平面部８ｄの長さ方向を屋根勾配の方向に一致させ、かつ、屋根勾配方向に並ぶ一対の穴８ｊを垂木２５の上に一致させるようにして、１つ目のベース板金８を野地板２６の軒先側に載置する。そして、木ねじ３０を各穴８ｊに通して野地板２６に締着して、１つ目のベース板金８を野地板２６上に取り付ける。
つぎに、２つ目のベース板金８を野地板２６上を棟側から軒先側にスライド移動させて、折り返し部８ｆの上辺を１つ目のベース板金８の折り返し部８ｅに形成されるＵ字状空間内に収納させ、木ねじ３０を各穴８ｊに通して野地板２６に締着して、２つ目のベース板金８を野地板２６上に取り付ける。この作業を繰り返し、ベース板金８を屋根勾配に直交する方向に１０個敷設する。これにより、１段目のベース板金８の敷設が完了する。
【００５５】
ついで、２段目を構成する１つ目のベース板金８の底部８ａの軒先側を１段目のベース板金８の底部８ａの重ね代８ｋの領域上に重ねるようにして載置する。そして、木ねじ３０を各穴８ｊに通して野地板２６に締着して、１つ目のベース板金８を野地板２６上に取り付ける。
つぎに、２段目を構成する２つ目のベース板金８を野地板２６上を棟側から軒先側にスライド移動させて、底部８ａの軒先側を１段目のベース板金８の底部８ａの重ね代８ｋの領域上に重ね、かつ、折り返し部８ｆの上辺を１つ目のベース板金８の折り返し部８ｅに形成されるＵ字状空間内に収納させ、木ねじ３０を各穴８ｊに通して野地板２６に締着して、２つ目のベース板金８を野地板２６上に取り付ける。この作業を繰り返し、ベース板金８を屋根勾配に直交する方向に８個敷設する。これにより、２段目のベース板金８の敷設が完了する。
【００５６】
この作業を繰り返し行い、６個のベース板金８からなる３段目、４個のベース板金８からなる４段目および２個のベース板金８からなる５段目の敷設が行われる。
【００５７】
そして、軒先ベース板２０が、鍵部２０ａで野地板２６の軒先側を覆うようにして、１段目の各ベース板金８の底部８ａの下部に挿入される。ついで、軒先パネル固定部材１９が、フランジ部１９ｂに形成された穴をベース板金８の底部８ａの取り付け用穴８ｇに一致させるようにフランジ部１９ｂをベース板金８の底部８ａ上に位置させ、かつ、脚部１９ｃを軒先ベース板２０上に位置させるように配置される。そして、軒先パネル固定部材１９が、リベット３１によりフランジ部１９ｂに形成された穴と底部８ａに形成された取り付け用穴８ｇと軒先ベース板２０に形成された穴とを用いて、軒先ベース板２０とともに、１段目を構成するベース板金８のそれぞれに固定される。
【００５８】
また、パネル固定部材１３が、フランジ部１３ｂに形成された穴を上段の各ベース板金８の底部８ａに形成された取り付け用穴８ｇに一致させるようにフランジ部１３ｂを該ベース板金８の底部８ａ上に位置させ、かつ、脚部１３ｃを下段のベース板金８の底部８ａ上に位置させるように配置する。そして、パネル固定部材１３が、リベット３１によりフランジ部１３ｂに形成された穴と底部８ａに形成された取り付け用穴８ｇとを用いて、２段目乃至５段目を構成するベース板金８のそれぞれに締着固定される。
これにより、パネル固定部材１３および軒先パネル固定部材１９が、図１８に示されるように、５段に敷設された各ベース板金８に取り付けられる。
【００５９】
ついで、第１屋根材間ベース板金１０が、折り返し部１０ｃの上辺を、各段の一側（図１８の左端）に位置するベース板金８の折り返し部８ｅに形成されるＵ字状空間内に収納させて敷設される。そして、各第１屋根材間ベース板金１０が、木ねじ３０を各穴１０ｆに通して野地板２６に締着して固定される。
また、第２屋根材間ベース板金１１が、折り返し部１１ｄに形成されるＵ字状空間内に、各段の他側（図１８の右端）に位置するベース板金８の折り返し片８ｆの上辺を収納させて敷設される。そして、各第２屋根材間ベース板金１１が、木ねじ３０を各穴１１ｇに通して野地板２６に締着して固定される。
また、棟側ベース板金１２が、底部１２ａの一部を、各段の左右両端に位置するベース板金８の底部８ａの重ね代８ｋの領域上に重ねて敷設される。そして、各棟側ベース板金１２が、木ねじ３０を各穴１２ｉに通して野地板２６に締着して固定される。
さらに、棟側パネル固定部材１６が、フランジ部１６ｂに形成された穴を棟側ベース板金１２の底部１２ａに形成された取り付け用穴１２ｇに一致させるようにフランジ部１６ｂを底部１２ａ上に位置させ、かつ、脚部１６ｃを軒側のベース板金８の底部８ａ上に位置させるように敷設される。そして、棟側パネル固定部材１６が、リベット３１によりフランジ部１６ｂに形成された穴と底部１２ａに形成された取り付け用穴１２ｇとを用いて、棟側ベース板金１２のそれぞれに締着固定される。
【００６０】
これにより、第１および第２屋根材間ベース板金１０、１１および棟側ベース板金１２、さらに棟側パネル固定部材１６が、図１９及び図２０に示されるように、敷設される。
【００６１】
ついで、瓦載置部材１７が、各棟側パネル固定部材１６の棟側フレーム受け部１６ａの上部に載置され、取付ねじ３４により締着固定される。さらに、防水板１８が、各棟側パネル固定部材１６の底部１６ａにリベット３１により取り付けられる。
【００６２】
ついで、屋根勾配方向に相対するパネル固定部材１３と軒先パネル固定部材１９との対において、棟側フレーム４をパネル固定部材１３の棟側フレーム受け部１３ａ内に挿入し、軒側フレーム５を軒先パネル固定部材１９の立ちフランジ部１９ｄに宛って、太陽電池パネル１をパネル固定部材１３と軒先パネル固定部材１９との各対間に架設する。そして、軒先カバー２１の引掛部２１ｄを鍵部２ｏａに引っ掛けて、軒側から嵌合部２１ｂを受け部１９ａ内に押し入れつつ主部２１ａを立ちフランジ部１９ｄに宛う。そして、取付ねじ３５を主部２１ａに穿設された穴２１ｆおよび軒先パネル固定部材１９の立ちフランジ部１９ｄに穿設された穴１９ｅに通して軒側フレーム５のねじ穴５ｂに締着・固定する。これにより、太陽電池パネル１がパネル固定部材１３と軒先パネル固定部材１９との各対間に取り付けられる。
【００６３】
また、屋根勾配方向に相対する棟側パネル固定部材１６と軒先パネル固定部材１９との対において、棟側フレーム４を棟側パネル固定部材１６の棟側フレーム受け部１６ａ内に挿入し、軒側フレーム５を軒先パネル固定部材１９の立ちフランジ部１９ｄに宛って、太陽電池パネル１を棟側パネル固定部材１６と軒先パネル固定部材１９との各対間に架設する。そして、軒先カバー２１の引掛部２１ｄを鍵部２ｏａに引っ掛けて、軒側から嵌合部２１ｂを受け部１９ａ内に押し入れつつ主部２１ａを立ちフランジ部１９ｄに宛う。そして、取付ねじ３５を主部２１ａに穿設された穴２１ｆおよび軒先パネル固定部材１９の立ちフランジ部１９ｄに穿設された穴１９ｅに通して軒側フレーム５のねじ穴５ｂに締着・固定する。これにより、太陽電池パネル１が棟側パネル固定部材１６と軒先パネル固定部材１９との各対間に取り付けられる。
【００６４】
また、屋根勾配方向に相対するパネル固定部材１３の対において、棟側フレーム４を棟側のパネル固定部材１３の棟側フレーム受け部１３ａ内に挿入し、軒側フレーム５を軒側のパネル固定部材１３の立ちフランジ部１３ｄに宛って、太陽電池パネル１をパネル固定部材１３の各対間に架設する。そして、パネル押さえ板１４が、その折り曲げ辺１４ｂを軒側から棟側フレーム受け部１３ａ内に圧入し、主部１４ａを立ちフランジ部１３ｄに宛って、取付ねじ３２を取り付け穴１４ｃ，１３ｅに通して軒側フレーム５のねじ穴５ｂに締着・固定される。これにより、太陽電池パネル１がパネル固定部材１３の各対間に取り付けられる。
【００６５】
また、屋根勾配方向に相対するパネル固定部材１３と棟側パネル固定部材１６との対において、棟側フレーム４を棟側パネル固定部材１６の棟側フレーム受け部１６ａ内に挿入し、軒側フレーム５をパネル固定部材１３の立ちフランジ部１３ｄに宛って、太陽電池パネル１をパネル固定部材１３と棟側パネル固定部材１６との各対間に架設する。そして、パネル押さえ板１４が、その折り曲げ辺１４ｂを軒側から棟側フレーム受け部１３ａ内に圧入し、主部１４ａを立ちフランジ部１３ｄに宛って、取付ねじ３２を取り付け穴１４ｃ，１３ｅに通して軒側フレーム５のねじ穴５ｂに締着・固定される。これにより、太陽電池パネル１がパネル固定部材１３と棟側パネル固定部材１６との各対間に取り付けられる。
【００６６】
そして、パネル間カバー１５が、屋根勾配方向と直交する方向に隣り合う太陽電池パネル１間に上方から被せられ、取付ねじ３３を穴１５ｄに通してベース板金８の平面部８ｄに形成されたねじ部９に締着して取り付けられる。この時、押さえ部１５ａが太陽電池パネル１の縦フレーム６を押圧し、折り曲げ部１５ｃがパネル押さえ板１４の主部１４ａの長さ方向の端部の外壁面（軒側の外壁面）に接するように重ね合わさっている。
なお、太陽電池パネル１間の電気的接続は、図１３に示されるように、太陽電池パネル１の端子ボックス３６に接続された接続ケーブル３７を、ベース板金８の立ち上がり部８ｂ、８ｃの軒側端面に形成された切り欠き８ｌを通して、屋根勾配方向と直交する方向に隣接する太陽電池パネル１の端子ボックス３６に接続している。
【００６７】
ここで、太陽電池パネル１の屋根勾配と直交する方向の配列ピッチが６Ｂであり、ベース板金８は、ねじ部９が３Ｂの寸法ピッチで配列されるように構成されているので、太陽電池パネル１は、２つのベース板金８で支持することになる。
ついで、瓦２７が太陽電池パネル１の敷設領域を除く野地板２６上に敷設される。この時、屋根勾配方向の最棟側に位置する太陽電池パネル１の棟側においては、瓦２７は、その軒側を瓦載置部材１７上に載せて敷設され、防水板１８が瓦２７の下面に密接している。また、各段の一側に位置する太陽電池パネル１の外側においては、瓦２７は、第１屋根材間ベース板金１０を覆うように敷設される。そして、各段の他側に位置する太陽電池パネル１の外側においては、瓦２７は、第２屋根材間ベース板金１１を覆うように敷設される。
【００６８】
このように敷設された太陽電池パネル装置においては、棟側の雨水は、瓦２７から太陽電池パネル１上に流れ落ちる。そして、屋根勾配方向における太陽電池パネル１間がパネル押さえ板１４により止水され、雨水は階段状に敷設されている太陽電池パネル１上を軒先まで流れる。また、屋根勾配方向と直交する方向における太陽電池パネル１間は、パネル間カバー１５により止水される。
そして、ベース板金８が重ね代８ｋの領域で重ねられて屋根勾配方向に敷設されているので、ベース板金８の底部８ａと第１および第２立ち上がり部８ｂ、８ｃとから構成されるコ字状の溝を屋根勾配方向に連ねた流路が構成される。そこで、雨水が太陽電池パネル１の接合部等から侵入しても、雨水は該流路を通って軒先まで流れ、野地板２６に至ることがなく、野地板２６への浸水が防止される。
【００６９】
また、太陽電池パネル１の縦フレーム６がパネル間カバー１５によりベース板金８の平面部８ｄや第２屋根材間ベース板金１１の平面部１１ｃに締着固定され、かつ、太陽電池パネル１の軒側フレーム５がパネル固定部材１３や軒先パネル固定部材１９に締着固定されているので、太陽電池パネル１を個々に取り外すことができる。そこで、太陽電池パネル１の故障や配線上のトラブルが発生した場合に、対象となる太陽電池パネル１のみを容易に交換でき、保守作業性が著しく向上される。
また、太陽電池パネル１の軒側フレーム５に滑り止め５ｄが形成されているので、作業者が滑り止め５ｄに足をかけて太陽電池パネル１を敷設することができ、太陽電池パネル１の敷設作業性が向上される。
【００７０】
また、太陽電池パネル１が棟側および軒側フレーム４、５の中央部をベース板金８の平面部８ｄに接するように敷設されているので、太陽電池パネル１の強度が増し、太陽電池パネル１の耐久性が向上される。
また、軒先カバー２１の通気孔２１ｅから、ベース板金８の第１および第２立ち上がり部８ｂ、８ｃと軒先パネル固定部材１９との隙間、ベース板金８の底部８ａと太陽電池パネル１との隙間、ベース板金８の第１および第２立ち上がり部８ｂ、８ｃとパネル固定部材１３との隙間、ベース板金８の底部８ａと太陽電池パネル１との隙間、さらにベース板金８の第１および第２立ち上がり部８ｂ、８ｃと棟側パネル固定部材１６との隙間を通り防水板１８に至る空気通路が構成されているので、太陽電池パネル１の裏面を冷却することができる。
【００７１】
また、ベース板金８が、屋根勾配と直交する方向に敷設された際に、底部８ａに形成されている穴８ｊがＢの寸法ピッチで配列されているので、屋根勾配と直交する方向の一方の穴８ｊを通って野地板２６に締着される木ねじ３０は、野地板２６を通って垂木２５に固定できるようにすることができ、ベース板金８を強固に屋根面に取り付けることができる。
また、ベース板金８の第１および第２立ち上がり部８ｂ、８ｃの軒側端面に切り欠き８ｌが形成されているので、太陽電池パネル１を敷設する際に、接続ケーブル３７の這わせが容易となり、太陽電池パネル１の敷設作業性が向上される。
【００７２】
また、ベース板金８は、第１立ち上がり部８ｂの上端から外方に延出する平面部８ｄと、平面部８ｄの先端部を下方側に折り返したＵ字状の折り返し部８ｅと、第２立ち上がり部８ｃの上端を外方に延出した後上方側に折り返したＵ字状の折り返し部８ｆとを備え、一方のベース板金８の折り返し部８ｆの上辺を他方のベース板金８の折り返し部８ｅに形成されるＵ字状空間内に収納させて連結して、複数のベース板金８が屋根勾配方向と直交する方向に敷設されている。そこで、平面部８ｄに侵入した雨水がベース板金８間の連結部を介して平面部８ｄと野地板２６との間に侵入することがなく、野地板２６への浸水が防止される。
【００７３】
また、木ねじ３０を取り付けるための穴８ｊが凸部８ｉの頂部に形成されているので、凸部８ｉが底部８ａを流れる雨水の穴８ｊへの流れ込みを阻止するように作用し、野地板２６への浸水が防止される。
また、堰８ｈが底部８ａの棟側に屋根勾配方向と直交する方向に延設されているので、重ね代８ｋの領域で底部８ａ間に隙間が確保される。そこで、重ね代８ｋの領域で底部８ａ間が密接していると、雨水が毛細管現象で底部８ａ間の密接部位を侵入して野地板２６に至るが、このような毛細管現象に起因する雨水の野地板２６への浸水も未然に防止される。また、ベース板金８で構成される流路を流れる雨水が、重ね代８ｋの領域の底部８ａ間の隙間を軒側から棟側に逆流しようとしても、堰８ｈが雨水の逆流を阻止するように作用し、野地板２６への浸水が防止される。
また、ベース板金８の第１および第２立ち上がり部８ｂ、８ｃがその立ち上がり高さを軒側から棟側に向かって漸次低くなるように形成され、第１および第２立ち上がり部８ｂ、８ｃの高さを瓦２７の下面が屋根勾配方向と直交する方向の両端部に位置する平面部８ｄ、１１ｃに接するように設定している。そこで、瓦２７と太陽電池パネル１との高さが略一致し、見栄えがよくなる。
【００７４】
また、瓦載置部材１７が棟側パネル固定部材１６の上部に取り付けられているので、最棟側に位置する太陽電池パネル１の棟側に葺かれる瓦２７の勾配が野地板２６上に葺かれる瓦２７の勾配に一致するように、瓦載置部材１７の高さを設定でき、屋根施工が容易となる。
また、防水板１８が瓦２７の下面形状に倣う形状に形成されているので、雨が棟側パネル固定部材１６と瓦２７との間から侵入しても、防水板１８が棟側への雨の侵入を防止するように作用し、野地板２６への浸水が防止される。
【００７５】
また、第１屋根材間ベース板金１０がＬ字状の立ち上がり部１０ｂの上端から外方に延出した後上方側に折り返したＵ字状の折り返し部１０ｃを備え、折り返し部１０ｃの上辺をベース板金８の折り返し部８ｅに形成されるＵ字状空間内に収納させている。そこで、第１屋根材間ベース板金１０上に葺かれた瓦２７を介して侵入した雨水が第１屋根材間ベース板金１０とベース板金８との間に直接に侵入することが立ち上がり部１０ｂにより阻止され、また雨水が折り返し部１０ｃ、８ｅの連結部を介して間接的に第１屋根材間ベース板金１０とベース板金８との間に侵入することもなく、野地板２６への浸水が防止される。さらに、第１屋根材間ベース板金１０がＬ字状の反立ち上がり部側の端部を折り返した立ち上がり部１０ｄを備えているので、瓦２７を介して侵入した雨水は立ち上がり部１０ｂ、１０ｄ間の底部１０ａを通って軒側に流れ、野地板２６への浸水が防止される。
【００７６】
また、第２屋根材間ベース板金１１がＬ字状の立ち上がり部１１ｂの上端から外方に延出した後上方側に折り返したＵ字状の折り返し部１１ｄを備え、折り返し部１１ｄに形成されるＵ字上空間内に、ベース板金８の折り返し部８ｆの上辺を収納させている。そこで、第２屋根材間ベース板金１１上に葺かれた瓦２７を介して侵入した雨水が第２屋根材間ベース板金１１とベース板金８との間に直接に侵入することが立ち上がり部１１ｂにより阻止され、また雨水が折り返し部１１ｄ、８ｆの連結部を介して間接的に第２屋根材間ベース板金１１とベース板金８との間に侵入することもなく、野地板２６への浸水が防止される。さらに、第２屋根材間ベース板金１１がＬ字状の反立ち上がり部側の端部を折り返した立ち上がり部１１ｅを備えているので、瓦２７を介して侵入した雨水は立ち上がり部１１ｂ、１１ｅ間の底部１１ａを通って軒側に流れ、野地板２６への浸水が防止される。
【００７７】
また、太陽電池パネル１は、屋根勾配と直交する方向の配列ピッチが６Ｂとなるような横幅に構成されている。そして、ベース板金８は、屋根勾配と直交する方向に敷設された際に、底部８ａに形成されている穴８ｊがＢの寸法ピッチで配列され、かつ、ねじ部９が３Ｂの寸法ピッチで配列されるように構成されている。そこで、太陽電池パネル１を２つのベース板金８で支持することになり、上段の太陽電池パネル１を左右方向に半分づつずらした階段状の千鳥格子状に配設することができる。これにより、太陽電池パネル１を三角形や台形の平面形状の屋根面に効率よく敷設することができる。
さらに、太陽電池パネル１は、屋根勾配方向の配列ピッチが２Ｄとなるような縦幅に構成されているので、太陽電池パネル１と瓦２７との横並びがよくなるとともに、施工性が向上される。
【００７８】
なお、上記実施の形態１では、上段の太陽電池パネル１を左右方向に半分づつずらした階段状の千鳥格子状に配設するものとしているが、太陽電池パネル１の位置を屋根勾配方向に一致させて格子状に配設するものとしてもよい。この場合、各段のベース板金８の敷設個数を同一としてベース板金８を矩形に敷設することになる。これにより、太陽電池パネル１を矩形に敷設でき、太陽電池パネル１の設置の多様性が得られる。
また、上記実施の形態１では、ベース板金８が屋根勾配と直交する方向に敷設された際に、底部８ａに形成されている穴８ｊが垂木２５の配設ピッチ（Ａ）の１／２の寸法ピッチで配列されているものとしているが、穴８ｊの配列ピッチはこれに限定されるものではなく、垂木２５の配設ピッチ（Ａ）の１／整数の寸法ピッチであればよい。これにより、穴８ｊを用いた固定箇所の１／整数の箇所で垂木２５に固定でき、ベース板金８の高い取り付け強度が確保される。
【００７９】
また、上記実施の形態１では、ベース板金８が屋根勾配方向と直交する方向に太陽電池パネル１の敷設ピッチの１／２の寸法ピッチで敷設されているものとしているが、ベース板金８の敷設ピッチはこれに限定されるものではなく、太陽電池パネル１の敷設ピッチの１／整数の寸法ピッチであればよい。これにより、縦フレーム６がベース板金８の平面部８ｄ上に位置するように太陽電池パネル１を敷き詰めることができ、太陽電池パネル１間の止水性および太陽電池パネル１の取り付け性が確保される。そして、ベース板金８の敷設ピッチが太陽電池パネル１の敷設ピッチ以外であれば、太陽電池パネル１を段間で屋根勾配方向と直交する方向にずらすこともでき、太陽電池パネル１の敷設平面形状の多様性が図られる。例えば、ベース板金８が太陽電池パネル１の敷設ピッチの１／２であれば、太陽電池パネル１を段間でベース板金８の敷設ピッチ分ずらすことができ、ベース板金８が太陽電池パネル１の敷設ピッチの１／３であれば、太陽電池パネル１を段間でベース板金８の敷設ピッチ分もしくは該敷設ピッチの倍分ずらすことができる。そこで、太陽電池パネル１を屋根面形状に合わせて効率よく敷設することができる。
【００８０】
また、上記実施の形態１では、太陽電池パネル１は、屋根勾配方向の配列ピッチが２Ｄとなるような縦幅に構成されているものとしているが、太陽電池パネル１の縦幅は屋根勾配方向の配列ピッチが瓦２７の葺き足寸法（Ｄ）の整数倍となるように構成されていればよい。これにより、太陽電池パネル１と瓦２７との横並びがよくなる。
【００８１】
また、上記実施の形態１では、ベース板金８の底部８ａに凸部８ｉを設け、穴８ｊからの雨水の浸入を防止するものとしているが、凸部８ｉを設けず、穴８ｊを底部８ａに穿設するようにしてもよい。この場合、雨水の穴８ｊへの流れ込みを阻止する堰を例えば穴８ｊの棟側に設ければよい。
また、上記実施の形態１では、固定具として木ねじ３０を用いてベース板金８を野地板２６に固定するものとしているが、固定具は木ねじ３０に限定されるものではなく、ベース板金８を野地板２６に固定できるものであればよい。
【００８２】
【発明の効果】
この発明は、以上のように構成されているので、以下に記載されるような効果を奏する。
【００８３】
この発明によれば、屋根勾配方向に延びる垂木が屋根勾配方向に直交する方向にピッチ（Ａ）で配設され、野地板が該複数の垂木上に敷並べられて該垂木に固定され、かつ、防水シートが該野地板上に敷設されてなる屋根面上に、上記屋根勾配方向に直交する方向に互いに面位置を合わせて複数敷設され、かつ、該屋根勾配方向に階段状に複数段敷設されてなり、それぞれ平盤状の光発電機能体を棟側フレーム、軒側フレームおよび一対の縦フレームにより枠状に支持して構成された太陽電池パネルと、上記太陽電池パネルを上記屋根面に固定する固定機構部とを備えた太陽電池パネル装置において、
上記固定機構部は、
底部と、該底部の一側端から立ち上がる第１立ち上がり部と、該底部の他側端から立ち上がる第２立ち上がり部と、該第１立ち上がり部の上端から外方に延設された平面部と、該平面部の端部に形成された第１連結部と、該第２立ち上がり部の上端に形成された第２連結部とを備えたベース板金が、上記第２連結部を上記第１連結部に係合させて、上記屋根勾配方向と直交する方向に複数敷設され、かつ、上記屋根勾配方向に関して軒側に位置する該ベース板金の底部の棟側に、棟側に位置する該ベース板金の底部の軒側を重ねて上記屋根勾配方向に複数段に敷設され、それぞれの上記底部が上記屋根面に固定されており、
Ｌ字状の第１受け部が設けられている第１固定部材が上記屋根勾配方向に関して最下段に敷設されている上記ベース板金のそれぞれの軒側に取り付けられ、
軒先側に開口するコ字状の第２受け部が設けられた第２固定部材が上記屋根勾配方向に関して最上段に敷設されている上記ベース板金のそれぞれの軒側に取り付けられて構成され、
上記第１受け部が設けられ、かつ、上記第２受け部が該第１受け部の下部に設けられた第３固定部材が上記屋根勾配方向に関して最下段および最上段を除く中間段に敷設されている上記ベース板金のそれぞれの軒側に取り付けられて構成され、
上記太陽電池パネルのそれぞれが、上記棟側フレームを上記第１受け部に挿入され、上記軒側フレームを上記第２受け部に支持され、かつ、上記縦フレームを上記ベース板金の平面部に支持されて、上記第１乃至第３固定部材の上記屋根勾配方向に相対する固定部材の対間に架設され、上記軒側フレームが上記固定部材の第２受け部に締着固定されているとともに、上記縦フレームがパネル間カバーと上記ベース板金の平面部とに挟持されて該パネル間カバーと該平面部との締着により固定されているので、ベース板金の底部および第１および第２立ち上がり部で構成されるコ字状部が屋根勾配方向に連なって雨水の流通路を構成し、太陽電池パネルのそれぞれが着脱可能となる。
そこで、雨水が太陽電池パネル間から侵入しても、雨水はベース板金の底部および第１および第２立ち上がり部で構成されるコ字状部が屋根勾配方向に連なって構成される流通路を通って軒先に排水され、野地板への浸水が防止されるとともに、太陽電池パネルの故障や配線上のトラブルが発生した場合には、対象となる太陽電池パネルのみを交換でき、保守作業性を向上できる太陽電池パネル装置を得ることができる。
【００８４】
また、上記ベース板金は、上記第１立ち上がり部の上記底部からの立ち上がり高さが、上記縦フレームの下面が上記平面部に接し、かつ、屋根材の谷面が上記平面部と略同一面位置となるように設定されているので、太陽電池パネルの強度が高められ、耐久性が向上されるとともに、屋根材と太陽電池パネルとの高さがあって、見栄えがよくなる。
【００８５】
また、上記屋根勾配方向と直交する方向における上記ベース板金の上記屋根面への固定部のピッチが、（Ａ／ｎ１）（但し、Ａ：垂木のピッチ、ｎ１：整数）であるので、ベース板金を垂木に固定できるようになり、ベース板金の取り付け強度が高められる。
【００８６】
また、上記ベース板金の上記屋根面への固定部は、上記底部に上面側に膨らむ凸部と、該凸部の頂部に穿設された穴とで構成され、上記ベース板金は、上記穴に通された固定具を上記屋根面に固着して該屋根面に固定されているので、ベース板金の底部および第１および第２立ち上がり部で構成されるコ字状部が屋根勾配方向に連なって構成される流通路を流れる雨水の固定部から野地板への浸水が防止される。
【００８７】
また、上記屋根勾配方向と直交する方向における上記ベース板金の敷設ピッチが、（上記屋根勾配方向と直交する方向における上記太陽電池パネルの敷設ピッチ）／ｎ２（但し、ｎ２：整数）であり、上記太陽電池パネルがそれぞれｎ２個の上記ベース板金上に配設されているので、太陽電池パネルの縦フレームをベース板金の平面部上に位置させることができ、太陽電池パネル間の止水性および太陽電池パネルの取り付け性が高められる。
【００８８】
また、上面側に膨らむ堰が、上記ベース板金の底部の上記固定部の棟側で、かつ、棟側の上記ベース板金の底部が重ねられる領域に、上記屋根勾配方向と直交する方向に延設されているので、ベース板金の底部および第１および第２立ち上がり部で構成されるコ字状部が屋根勾配方向に連なって構成される流通路を流れる雨水の逆流が堰により阻止され、野地板への浸水が防止される。
【００８９】
また、上記太陽電池パネル間を電気的に接続する接続ケーブルを通すための切り欠きが上記ベース板金の第１および第２立ち上がり部の軒側端面に形成されているので、太陽電池パネルを敷設する際に、接続ケーブルの這わせが容易となり、対応電池パネルの敷設作業性が向上される。
【００９０】
また、上記屋根勾配方向における上記太陽電池パネルの敷設ピッチが、（屋根材の葺き足寸法）・ｎ３（但し、ｎ３：整数）であるので、太陽電池パネルと屋根材との横並びがよくなるとともに、施工性が向上される。
【００９１】
また、隣接する段に敷設される上記太陽電池パネルが互いに上記屋根勾配方向と直交する方向に［（上記屋根勾配方向と直交する方向における上記太陽電池パネルの敷設ピッチ）／２］ずらされて千鳥格子状に敷設されているので、太陽電池パネルを三角形や台形の屋根面に効率よく敷設できるとともに、屋根勾配方向と直交する方向におけるベース板金間の止水性が高められる。
【００９２】
また、隣接する段に敷設される上記太陽電池パネルが上記屋根勾配方向に一致する格子状に敷設されているので、太陽電池パネルを矩形に敷設でき、太陽電池パネルの設置の多様性が得られる。
【００９３】
また、屋根材載置部材が第２固定部材の第２受け部の上面に固定され、屋根材がその軒側を該屋根材載置部材に載せて上記屋根面に葺かれているので、太陽電池パネルの棟側に葺かれる屋根材の勾配を所定の勾配に確保でき、屋根施工が容易となる。
【００９４】
また、上記屋根材の裏面形状に倣う形状に形成された防水板が第２固定部材の棟側に取り付けられているので、太陽電池パネルの棟側の屋根材との接合部における止水性が高められる。
【００９５】
また、底部と底部の他側端から立ち上がる立ち上がり部とを有するＬ字状に形成され、第３連結部が該立ち上がり部の上端に形成され、堰が該底部の一側端に形成されてなる第１屋根材間ベース板金が、各段の上記屋根勾配方向と直交する方向の一側に位置する上記ベース板金の上記第１連結部に該第３連結部を係合させて敷設され、かつ、底部と底部の一側端から立ち上がる立ち上がり部とを有するＬ字状に形成され、第４連結部が該立ち上がり部の上端に形成され、堰が該底部の他側端に形成されてなる第２屋根材間ベース板金が、各段の上記屋根勾配方向と直交する方向の他側に位置する上記ベース板金の上記第２連結部に該第４連結部を係合させて敷設され、屋根材が上記第１および第２屋根材間ベース板金を覆うように葺かれているので、太陽電池パネルの袖側の屋根材との接合部における止水性が高められる。
【００９６】
また、滑り止めが上記太陽電池パネルの軒側フレームの上面に突設されているので、施工時に作業者の足を止めることができ、作業安全性が高められる。
【００９７】
また、上記第１連結部は上記平面部から下方側に折り返されてＵ字状に形成され、かつ、上記第２連結部は上記第２立ち上がり部の上端から外方に延出した後上方側に折り返されてＵ字状に形成され、上記第２連結部のＵ字状の上辺が上記第１連結部のＵ字状の空間内に収納されて上記第１および第２連結部が連結されているので、ベース板金間の連結部の止水性が高められる。
【図面の簡単な説明】
【図１】この発明の実施の形態１に係る太陽電池パネル装置に適用される太陽電池パネルを示す平面図である。
【図２】図１のＩＩ−ＩＩ矢視断面図である。
【図３】この発明の実施の形態１に係る太陽電池パネル装置に適用されるベース板金を示す平面図である。
【図４】この発明の実施の形態１に係る太陽電池パネル装置に適用されるベース板金を示す正面図である。
【図５】図３のＶ−Ｖ矢視断面図である。
【図６】この発明の実施の形態１に係る太陽電池パネル装置に適用される第１屋根材間ベース板金を示す平面図である。
【図７】この発明の実施の形態１に係る太陽電池パネル装置に適用される第１屋根材間ベース板金を示す正面図である。
【図８】この発明の実施の形態１に係る太陽電池パネル装置に適用される第２屋根材間ベース板金を示す平面図である。
【図９】この発明の実施の形態１に係る太陽電池パネル装置に適用される第２屋根材間ベース板金を示す正面図である。
【図１０】この発明の実施の形態１に係る太陽電池パネル装置に適用される棟側ベース板金を示す平面図である。
【図１１】この発明の実施の形態１に係る太陽電池パネル装置に適用される棟側ベース板金を示す正面図である。
【図１２】図１０のＸＩＩ−ＸＩＩ矢視断面図である。
【図１３】この発明の実施の形態１に係る太陽電池パネル装置における太陽電池パネルの上下方向の取り付け構造を説明する断面図である。
【図１４】この発明の実施の形態１に係る太陽電池パネル装置における太陽電池パネルの横方向の取り付け構造を説明する断面図である。
【図１５】この発明の実施の形態１に係る太陽電池パネル装置における太陽電池パネルの横方向の取り付け構造を説明する一部破断正面図である。
【図１６】この発明の実施の形態１に係る太陽電池パネル装置における最上段の太陽電池パネルの取り付け構造を説明する断面図である。
【図１７】この発明の実施の形態１に係る太陽電池パネル装置における最下段の太陽電池パネルの取り付け構造を説明する断面図である。
【図１８】この発明の実施の形態１に係る太陽電池パネル装置におけるベース板金を傾斜屋根面に敷設した状態を示す模式図である。
【図１９】この発明の実施の形態１に係る太陽電池パネル装置における、ベース板金、屋根材間ベース板金および棟側ベース板金を傾斜屋根面に敷設した状態を示す模式図である。
【図２０】この発明の実施の形態１に係る太陽電池パネル装置におけるベース板金、屋根材間ベース板金および棟側ベース板金を傾斜屋根面に敷設した状態を示す平面図である。
【符号の説明】
１　太陽電池パネル、２　基盤（光発電機能体）、３　フレーム、４　棟側フレーム、５　軒側フレーム、６　縦フレーム、８　ベース板金、８ａ　底部、８ｂ　第１立ち上がり部、８ｃ　第２立ち上がり部、８ｄ　平面部、８ｅ　折り返し部（第１連結部）、８ｆ　折り返し部（第２連結部）、８ｈ　堰、８ｉ　凸部（固定部）、８ｊ　穴（固定部）、８ｋ　重ね代、８ｌ　切り欠き、１０　第１屋根材間ベース板金、１０ａ　底部、１０ｂ　立ち上がり部、１０ｃ　折り返し部（第３連結部）、１０ｄ　立ち上がり部（堰）、１０ｅ　凸部（固定部）、１０ｆ　穴（固定部）、１１　第２屋根材間ベース板金、１１ａ　底部、１１ｂ　立ち上がり部、１１ｃ　平面部、１１ｄ　折り返し部（第４連結部）、１１ｅ　立ち上がり部（堰）、１１ｆ　凸部（固定部）、１１ｇ　穴（固定部）、１２　棟側ベース板金、１２ａ　底部、１２ｂ　第１立ち上がり部、１２ｃ　第２立ち上がり部、１２ｄ　平面部、１２ｅ　折り返し部（第１連結部）、１２ｆ　折り返し部（第２連結部）、１２ｈ　凸部（固定部）、１２ｉ　穴（固定部）、１３パネル固定部材（第３固定部材）、１３ａ　棟側フレーム受け部（第２受け部）、１３ｄ　立ちフランジ部（第１受け部）、１５　パネル間カバー、１６　棟側パネル固定部材（第２固定部材）、１６ａ　棟側フレーム受け部（第２受け部）、１７　瓦載置部材（屋根材載置部材）、１８　防水板、１９　軒先パネル固定部材（第１固定部材）、１９ｄ　立ちフランジ部（第１受け部）、２５　垂木、２６　野地板、２６ａ　防水シート、２７　瓦（屋根材）、３０　木ねじ（固定具）、３７　接続ケーブル。
【図１】
2004060262.tif 000003
【図２】
2004060262.tif 000004
【図３】
2004060262.tif 000005
【図４】
2004060262.tif 000006
【図５】
2004060262.tif 000007
【図６】
2004060262.tif 000008
【図７】
2004060262.tif 000009
【図８】
2004060262.tif 000010
【図９】
2004060262.tif 000011
【図１０】
2004060262.tif 000012
【図１１】
2004060262.tif 000013
【図１２】
2004060262.tif 000014
【図１３】
2004060262.tif 000015
【図１４】
2004060262.tif 000016
【図１５】
2004060262.tif 000017
【図１６】
2004060262.tif 000018
【図１７】
2004060262.tif 000019
【図１８】
2004060262.tif 000020
【図１９】
2004060262.tif 000021
【図２０】
2004060262.tif 000022